(57)【要約】【課題】画像形成装置を用いてインデックス印刷する場合の様々な問題の少なくとも一つを解消し、簡易にインデックス印刷することができる画像形成装置及びインデックス印刷方法を提供する。【解決手段】ステップＳ１２において、インデックス印刷すべきファイル中のページにカラー画像があるか否かを判定し、カラー画像がある場合はステップＳ１４に進み、カラー画像を白黒画像に変換し、ステップＳ１６においてページを縮小し、ステップＳ２４でインデックス画像を所定位置に貼り付ける。【選択図】図６
2005225012.tif 000002
【特許請求の範囲】
【請求項１】
インデックス印刷すべきページを縮小する縮小手段と、インデックス印刷すべきページにカラー画像が含まれているか否かを判定する判定手段と、この判定手段の判定結果、該ページにカラー画像が含まれると判定された場合、該ページのカラー画像を特定色に変換する変換手段と、前記縮小手段により縮小されたインデックス画像を所定位置に貼り付ける貼付け手段と、この貼付け手段によりインデックス画像が貼り付けられた画像を出力する出力手段とを有することを特徴とするカラー画像形成装置。
【請求項２】
前記変換手段の特定色は一色であることを特徴とする請求項１記載のカラー画像形成装置。
【請求項３】
前記変換手段の特定色は黒であることを特徴とする請求項２記載のカラー画像形成装置。
【請求項４】
前記変換手段の特定色は二色であることを特徴とする請求項１記載のカラー画像形成装置。
【請求項５】
前記変換手段の特定色を指定する指定手段をさらに有することを特徴とする請求項１記載のカラー画像形成装置。
【請求項６】
インデックス印刷すべきページを縮小する縮小手段と、インデックス印刷すべきページにカラー画像が含まれているか否かを判定する判定手段と、この判定手段の判定結果、該ページにカラー画像が含まれると判定された場合、該ページにカラー画像が含まれる旨の情報を該ページに付すカラー情報付加手段と、前記縮小手段により縮小されたインデックス画像を所定位置に貼り付ける貼付け手段と、この貼付け手段によりインデックス画像が貼り付けられた画像を出力する出力手段とを有することを特徴とする画像形成装置。
【請求項７】
インデックス印刷すべきページを縮小する縮小手段と、インデックス印刷すべきページにカラー画像が含まれているか否かを判定する判定手段と、この判定手段の判定結果、該ページにカラー画像が含まれると判定された場合、該ページのカラー画像を特定色に変換する変換手段と、前記判定手段の判定結果、該ページにカラー画像が含まれると判定された場合、該ページにカラー画像が含まれる旨の情報を該ページに付すカラー情報付加手段と、前記縮小手段により縮小されたインデックス画像を所定位置に貼り付ける貼付け手段と、この貼付け手段によりインデックス画像が貼り付けられた画像を出力する出力手段とを有することを特徴とするカラー画像形成装置。
【請求項８】
インデックス印刷すべきページにカラー画像が含まれるか否かを判定し、カラー画像が含まれると判定した場合、該ページのカラー画像を特定色に変換し、変換されたページを含むページを縮小し、縮小されたインデックス画像を所定位置に貼り付け、貼り付けられた画像を出力することを特徴とするインデックス画像印刷方法。
【請求項９】
インデックス印刷すべきページにカラー画像が含まれるか否かを判定し、カラー画像が含まれると判定した場合、該ページにカラー画像が含まれる旨の情報を該ページに付し、縮小されたインデックス画像をカラー画像が含まれる旨の情報と共に所定位置に貼り付け、貼り付けられた画像を出力することを特徴とするインデックス画像印刷方法。
【請求項１０】
インデックス印刷すべきページにカラー画像が含まれるか否かを判定し、カラー画像が含まれると判定した場合、該ページのカラー画像を特定色に変換すると共に該ページにカラー画像が含まれる旨の情報を該ページに付加し、カラー画像が含まれる旨の情報と共に縮小された特定色のインデックス画像を所定位置に貼り付け、貼り付けられた画像を出力することを特徴とするインデックス画像印刷方法。
【発明の詳細な説明】
【技術分野】
【０００１】
本発明は、インデックス画像を印刷することができる画像形成装置及びインデックス画像印刷方法に関するものである。
【背景技術】
【０００２】
例えばハードディスクのような記憶装置にファイルとして記憶された電子ファイルを各ページ毎に縮小し、インデックス表示させることは公知である（特許文献１）。また、このように縮小されたインデックス画像を印刷することも公知である（特許文献２）。
【０００３】
【特許文献１】特開平６−２８２５８１号公報
【特許文献２】特開平１１−１８０００５号公報
【発明の開示】
【発明が解決しようとする課題】
【０００４】
ところで、カラー画像形成装置を用いてインデックス印刷する場合がある。この場合には次のような問題点がある。
（１）図１に示すように、インデックス印刷された縮小ページ１ａ〜１ｆの一部、例えばページ１ｂにカラー画像３が存在すると、そのインデックス印刷のページ２はカラーとして扱われる。インデックス印刷は、簡易にファイルの中身を確認しようとする目的で行われるのに拘わらず、カラーとして扱われることにより、料金が高くなったり（白黒、単色カラー、２色カラー、フルカラーの順で料金が高く課される場合がある）、印刷速度が遅くなったり、あるいは黒がプロセスブラック（３色を混合して黒とする）になることで白黒部分が不鮮明になったりする。
（２）図２に示すように、インデックス印刷すべきページ４の一部分、例えば画像５の枠部分にカラー画像６が存在すると、インデックス印刷はページが縮小されるため、カラー画像６に対応するインデックス印刷されたページ２における縮小ページ１の画像７はカラーであるか否かの判別ができなくなる。
（３）カラー印刷の色材、例えばＹＭＣトナーのうち、一つでも無くなってしまうとカラー印刷ができないので、インデックス印刷もできなくなる。また、少なくなったりして特定色の色材を使用したくない場合でも、インデックス印刷すべき画像にカラーが含まれている場合は、その色材が自動的に使われてしまう。
また、モノクロの画像形成装置を用いた場合、インデックス印刷すべきページにカラー画像が含まれていても、インデックス印刷した場合にはカラー画像が含まれていたか否かは判断できなくなる。
【０００５】
本発明の目的は、上述した画像形成装置を用いてインデックス印刷する場合の様々な問題の少なくとも一つを解消し、簡易にインデックス印刷することができる画像形成装置及びインデックス印刷方法を提供することにある。
【課題を解決するための手段】
【０００６】
本発明の第１の特徴とするところは、インデックス印刷すべきページを縮小する縮小手段と、インデックス印刷すべきページにカラー画像が含まれているか否かを判定する判定手段と、この判定手段の判定結果、該ページにカラー画像が含まれると判定された場合、該ページのカラー画像を特定色に変換する変換手段と、前記縮小手段により縮小されたインデックス画像を所定位置に貼り付ける貼付け手段と、この貼付け手段によりインデックス画像が貼り付けられた画像を出力する出力手段とを有するカラー画像形成装置にある。したがって、インデックス印刷すべきページにカラー画像が含まれる場合は、カラー画像が特定色に変換された形で出力することができるので、カラー画像形成装置を使用する料金を安くしたり、印刷速度を速くしたり、あるいは白黒部分を鮮明にしたりすることができる。また、インデックス印刷時には特定色以外の色材の使用を禁止することができので、特定色以外の色材が無くなったり、少なくなってその色材の使用を少なくしたい場合でもインデックス印刷を実行することができる。
【０００７】
好ましくは、特定色は黒であるが、単色カラー（例えばＹＭＣから選ばれた一色）であってもよいし、さらに二色カラー（例えばＹＭＣから選ばれた２色）であってもよい。
【０００８】
また、好ましくは、前記変換手段の特定色を指定する指定手段を設け、特定色を選択できるようにする。
【０００９】
本発明の第２の特徴とするところは、インデックス印刷すべきページを縮小する縮小手段と、インデックス印刷すべきページにカラー画像が含まれているか否かを判定する判定手段と、この判定手段の判定結果、該ページにカラー画像が含まれると判定された場合、該ページにカラー画像が含まれる旨の情報を該ページに付すカラー情報付加手段と、前記縮小手段により縮小されたインデックス画像を所定位置に貼り付ける貼付け手段と、この貼付け手段によりインデックス画像が貼り付けられた画像を出力する出力手段とを有する画像形成装置にある。したがって、インデックスすべきページにカラー画像が含まれている場合、インデックス印刷したページにその旨の情報が付加されるので、インデックス印刷してもカラー画像が元のページに含まれていることがわかるようになる。
【００１０】
本発明の第３の特徴とするところは、インデックス印刷すべきページを縮小する縮小手段と、インデックス印刷すべきページにカラー画像が含まれているか否かを判定する判定手段と、この判定手段の判定結果、該ページにカラー画像が含まれると判定された場合、該ページのカラー画像を特定色に変換する変換手段と、前記判定手段の判定結果、該ページにカラー画像が含まれると判定された場合、該ページにカラー画像が含まれる旨の情報を該ページに付すカラー情報付加手段と、前記縮小手段により縮小されたインデックス画像を所定位置に貼り付ける貼付け手段と、この貼付け手段によりインデックス画像が貼り付けられた画像を出力する出力手段とを有するカラー画像形成装置にある。
【００１１】
本発明の第４の特徴とするところは、インデックス印刷すべきページにカラー画像が含まれるか否かを判定し、カラー画像が含まれると判定した場合、該ページのカラー画像を特定色に変換し、変換されたページを含むページを縮小し、縮小されたインデックス画像を所定位置に貼り付け、貼り付けられた画像を出力するインデックス画像印刷方法にある。
【００１２】
本発明の第５の特徴とするところは、インデックス印刷すべきページにカラー画像が含まれるか否かを判定し、カラー画像が含まれると判定した場合、該ページにカラー画像が含まれる旨の情報を該ページに付し、縮小されたインデックス画像をカラー画像が含まれる旨の情報と共に所定位置に貼り付け、貼り付けられた画像を出力するインデックス画像印刷方法にある。
【００１３】
本発明の第６の特徴とするところは、インデックス印刷すべきページにカラー画像が含まれるか否かを判定し、カラー画像が含まれると判定した場合、該ページのカラー画像を特定色に変換すると共に該ページにカラー画像が含まれる旨の情報を該ページに付加し、カラー画像が含まれる旨の情報と共に縮小された特定色のインデックス画像を所定位置に貼り付け、貼り付けられた画像を出力するインデックス画像印刷方法にある。
【発明を実施するための最良の形態】
【００１４】
次に本発明の実施形態について説明する。
図３において、画像形成装置１０は例えばプリンタ機能と複写機能とを併せ持つカラー用のもので、印刷部１２、原稿読取装置１４及び画像処理装置１５とを有する。印刷部１２は、例えばゼログラフィ方式のもので、シートが積載された給紙トレイ１６を有し、この給紙トレイ１６からシート搬送路２０に供給されたシートに画像を形成するようになっている。画像処理装置１５は、原稿読取装置１４からの画像データを受け付けると共に、ネットワーク等を介してホストコンピュータ１８からの画像データを受け付ける。
【００１５】
印刷部１２は、感光体２２と、この感光体２２を一様に帯電する帯電器２４と、この帯電器２４により一様に帯電された感光体２２に潜像を形成する露光装置２６と、この露光装置２６により形成された感光体２２上の潜像をトナーで可視化する現像装置２８と、この現像装置２８により形成されたトナー像を中間転写ベルト３０に転写する一次転写装置３２と、感光体２２に残ったトナーをクリーニングする感光体クリーナ３４とを有する。露光装置２６は、例えばレーザ走査方式のもので、後述する原稿読取装置１４の読取センサ５８で読み取った原稿の画像をレーザのオンオフ信号に変えて出力する。現像装置２８は、例えばロータリ式のもので、Ｙ，Ｍ，Ｃ，Ｋ４色の現像器３６ａ，３６ｂ，３６ｃ，３６ｄが周囲に配置され、各色を現像するときに感光体２２に対峙するよう回転する。感光体２２に一次転写装置３２は例えばコロトロンから構成され、この転写装置３２によりトナー像が中間転写ベルト３０に転写される。
即ち、フルカラー印刷の場合は、感光体２２及び中間転写ベルト３０が４回転すると共に、現像装置２８が９０度ずつ回転し、中間転写ベルト３０に４色のトナー像が形成され、二色カラーの場合は、感光体２２及び中間転写ベルト３０が２回転すると共に、ＹＭＣから選ばれた現像器３６ａ，３６ｂ，３６ｃが感光体２２に対峙して中間転写ベルト３０に二色のトナー像が形成され、単色の場合は、感光体２２及び中間転写ベルト３０が１回転すると共に、ＹＭＣから選ばれた現像器３６ａ，３６ｂ，３６ｃ，３６ｄが感光体２２に対峙して中間転写ベルト３０に単色のトナー像が形成される。
中間転写ベルト３０に転写されたトナー像は、二次転写装置３８によりシートに転写され、このシートが定着装置４０に送られ、この定着装置４０によりトナー像がシートに定着され、このトナー像が定着されたシートが排出トレイ４２に排出される。中間転写ベルト３０に残ったトナーは中間転写ベルトクリーナ４４により掻き落される。
【００１６】
シート搬送路２０には、レジストロール４６が配置されている。このレジストロール４６は、供給されたシートを一時停止させ、中間転写ベルト３０にトナー像が形成されるタイミングと同期してシートを二次転写装置３８にシートを供給するように制御される。
【００１７】
原稿読取装置１４は、原稿を光学的に読み取る光学系４８と、自動原稿送り装置５０とを有する。
光学系４８は、原稿に光を照射するランプ５２と、原稿からの光を反射する反射ミラー５４ａ，５４ｂ，５４ｃと、この反射ミラー５４ａ〜５４ｃからの光を収束させるレンズ５６と、このレンズ５６により収束した光を読み取る読取センサ５８とを有する。読取センサ５８は例えばＣＣＤから構成されている。この光学系４８は、反射ミラー５４ａ〜５４ｃ等を端部付近に設けられた読取部固定して自動原稿送り装置５０により送られた原稿を流し読みする機能と、反射ミラー５４ａ〜５４ｃ等を走査して原稿台ガラス６０上に載置された原稿を読み取る機能とを備えている。
【００１８】
自動原稿送り装置５０は、多数の原稿が載置される原稿載置台６２と、原稿を搬送する原稿搬送路６４と、画像を読み取った後の原稿が排出される排出台６６とを有する。
【００１９】
図４において、画像処理装置１５の詳細が示されている。画像処理装置１５は、データバス６８を有し、このデータバス６８にジョブ受付部７０、画像メモリ７２、出力インターフェイス７４、ハードディスク７６、ＣＰＵ７８、通信インターフェイス８０等が接続されている。ジョブ受付部７０は、画像読取装置１４及びホストコンピュータ１８に接続され、ジョブとして送られるファイルを受け付ける。このジョブ受付部７０に受け付けられたジョブファイルは、そのままあるいは圧縮されてハードディスク７６に格納される。このハードディスク７６からファイルが取り出されると、圧縮されたものであれば復号されてファイルを構成する各ページの画像が作成され、出力インターフェイス７４を介して印刷部１２に送られる。ＣＰＵ７８は、印刷の種別（フルカラー、二色カラー、単色カラー、白黒）に応じて料金を演算し、通信インターフェイス８０を介して管理装置８２に送信され、この管理装置８２により課金情報が管理され、ユーザに対して課金できるようになっている。
【００２０】
上記画像処理装置１５は、例えばディスク７６に蓄積されたファイルの画像データを縮小してインデックス画像を作成し、印刷部１２にインデックス画像を印刷する機能を有する。図５において、インデックス印刷モードを表示する画面８４が示されている。このインデックス印刷モード画面８４は、画像形成装置１０又はホストコンピュータ１８のユーザインターフェイス（表示操作装置）に表示される。
【００２１】
図５（ａ）は、インデックス印刷モード画面８４の基本画面８６を示す。この基本画面８６には、フルカラー選択部８８、白黒選択部９０及び一部カラー選択部９２が設けられている。このフルカラー選択部８８、白黒選択部９０及び一部カラー選択部９２は、いずれか一つをマウス等で選択すると、選択されたことを示す表示がなされる。また、基本画面８６には、ＯＫボタン９４が設けられ、このＯＫボタン９４をマウス等でクリックすることにより選択が確定する。フルカラー選択部８８又は白黒選択部９０を選択し、ＯＫボタン９４を押すと全ての選択が確定するが、一部カラー選択部９２を選択し、ＯＫボタン９４を押した場合は、図５（ｂ）又は図５（ｃ）に示す一部カラー設定画面９６，９８に切り替えられる。
【００２２】
図５（ｂ）に示す第１の一部カラー設定画面９６には、Ｙ（イエロー）選択部１００、Ｍ（マゼンダ）選択部１０２、Ｃ（シアン）選択部１０４及びＫ（黒）選択部１０６が設けられている。これら選択部１００〜１０６は、いずれか一つ又は二つをマウス等で選択すると、選択されたことを示す表示がなされる。また、第１の一部カラー設定画面９６には、戻りボタン１０８とＯＫボタン１１０とが設けられている。戻りボタン１０８をクリックすると、基本画面８６に戻る。ＯＫボタン１１０をクリックすると、選択した内容が確定する。
【００２３】
図５（ｃ）に示す第２の一部カラー設定画面９８には、画像選択部１１２、枠選択部１１４及び背面選択部１１６が設けられている。画像選択部１１２は、該画像選択部１１２の下方に配置されたシンボルで示すように、画像部分を予め設定されたカラーで表示する。枠選択部１１４は、該枠選択部１１４の下方に配置されたシンボルで示すように、画像部分の周囲を枠で囲み、該枠を予め設定されたカラーで表示する。背面選択部１１６は、該背面選択部１１６の下方に配置されたシンボルで示すように、画像部分の周囲所定領域の背面を予め設定されたカラーで表示する。また、第２の一部カラー設定画面９８には、戻りボタン１１８とＯＫボタン１２０とが設けられている。戻りボタン１１８をクリックすると、基本画面８６に戻る。ＯＫボタン１２０をクリックすると、選択した内容が確定する。
【００２４】
なお、上記一部カラー設定画面９６，９８は、基本画面８６から並列的に選択できるようにしたが、これに限定されず、第１の一部カラー設定画面９６でカラーを選択し、次に第２の一部カラー設定画面９８で表示態様を選択できるようにすることもできる。
【００２５】
図６において、インデックス印刷を行う場合の第１の制御フロー例が示されている。この第１の制御フローは、図５（ａ）に示す基本画面８６で全て白黒が選択された場合を示す。ステップＳ１０において、まず前述したハードディスク（ＨＤＤ）７６の記憶領域から指定されたファイルのファイル情報を読み出す。ここで、ハードディスク７６に記憶されている画像データが圧縮データであればその画像データを伸長する。次のステップＳ１２においては、ステップＳ１０で読み出されたファイルのページ毎にカラー画像が含まれているか否かを判定する。このステップＳ１２において、カラー画像が含まれている（カラー）と判定された場合は、ステップＳ１４へ進み、そのカラー画像を白黒画像に変換する。一方、ステップＳ１２において、カラー画像が含まれていない（白黒）と判定された場合は、ステップＳ１４を跳び越してステップＳ１６へ進む。
【００２６】
ステップＳ１６においては、例えばビットマップに展開してページを作成する。次のステップＳ１８においては、ステップＳ１６で作成したページを所定のサイズに縮小する。次ステップＳ２０においては、１つのファイルにページ有るか否かを判定する。ページが有る場合はステップＳ１２に戻り、ファイルにページが無くなるまでステップＳ１２〜Ｓ２０までの処理を繰り返す。次のステップＳ２２においては、他に処理すべきファイルが有るか否かを判定し、ファイルがあると判定された場合は、ステップＳ１０に戻り、処理すべきファイルが無くなるまでステップＳ１０〜Ｓ２２の処理を繰り返す。ステップＳ２２において、処理すべきファイルが無いと判定された場合は、次のステップＳ２４に進み、インデックス画像をそれぞれ所定の位置に貼り付け、処理を終了する。
【００２７】
図７において、インデックス印刷を行う場合の第２の制御フロー例が示されている。この第２の制御フローは、図５（ａ）に示す基本画面８６で一部カラーが選択され、図５（ｂ）に示すいずれか一つ又は二つのカラーが選択された場合を示す。
この第２の制御フローにおいては、前述した第１の制御フローと比較すると、第１の制御フローのステップＳ１４の替わりに、ステップＳ２６，２８を設けた点が異なる。
即ち、ステップＳ１２において、カラー画像が含まれていない（白黒）と判定された場合は、第１の制御フローと同様に、ステップＳ１６へ進んでページの作成を行うが、カラー画像が含まれている（カラー）と判定された場合は、ステップＳ２６へ進み、指定色数を取得し、次のステップＳ２８において、カラー画像を指定色数でページを作成し、次のステップＳ１８へ進むものである。
【００２８】
図８において、インデックス印刷を行う場合の第３の制御フロー例が示されている。この第３の制御フローは、図５（ａ）に示す基本画面８６で一部カラーが選択され、図５（ｃ）に示すいずれか一つの表示態様が選択された場合を示す。
この第２の制御フローにおいては、前述した第１の制御フローと比較すると、第１の制御フローのステップＳ１４の後に、ステップＳ３０を挿入した点が異なる。
即ち、ステップＳ３０においては、ステップＳ１４でカラー画像から白黒画像に変換された画像に対して白黒／カラーの識別情報を作成する。このステップＳ１４の処理は、図９に示すように、ステップＳ３０１において、まず識別情報を付加する色成分を取得する。ここで、色成分は、前述したように、予め設定されている固定のものであってもよいし、図５（ｃ）に示す第２の一部カラー設定画面９８でユーザが選択した色成分であってもよい。次のステップＳ３０２においては、図５（ｂ）に示す第１の一部カラー設定画面９６でユーザが選択した識別方法を判定する。このステップＳ３０２において、画像が選択されていると判定されると、ステップＳ３０３へ進み、ステップＳ３０１で取得した色で画像を上書きする（一度白黒に変換した画像を特定の色に変換する）。ステップＳ３０２において、枠付けが選択されていると判定されると、ステップＳ３０４へ進み、指定された線幅で画像の周囲に枠のイメージをステップＳ３０１で取得した色で作成する。ステップＳ３０２において、塗りつぶしが選択されていると判定されると、ステップＳ３０５へ進み、指定されたパターンで、且つステップＳ３０１で取得した色で画像を囲む所定のイメージサイズの塗りつぶしを作成する。
【００２９】
図１０において、インデックス印刷を行う場合の第４の制御フロー例が示されている。この第４の制御フローは、前述した第３の制御フローと比較すると、ステップＳ３０の処理をステップＳ１８で縮小した後に行うようにした点が異なる。したがって、この場合は、ページの縮小を行った後に白黒／カラーの識別情報を作成するようにしたので、メモリ消費を少なくすることができるし、処理時間も短くすることができるものである。
【００３０】
図１１において、上述した第１の制御フロー又は第２の制御フローに基づいて画像形成装置によりインデックス印刷した結果を示す。
即ち、インデックス印刷すべきファイル１２２のページ１２４ａ〜１２４ｄの一部にカラー画像１２６が含まれている場合、図５（ａ）に示したインデックス印刷モード画面８４の基本画面８６で白黒選択部９０を選択したときには、全て白黒のインデックス画像１２８が印刷される。また、図５（ｂ）に示した第１の一部カラー設定画面９６で一つのカラーを選択したときには、選択された一成分のインデックス画像１３０が印刷される。また、図５（ｂ）に示した第１の一部カラー設定画面９６で二つのカラーを選択したときには、選択された二成分のインデックス画像１３２が印刷される。
【００３１】
したがって、インデックス印刷すべきファイル１２２のページ１２４ａ〜１２４ｄの一部にカラー画像１２６が含まれている場合、フルカラーでインデックス画像を印刷する場合と比較すると、カラー画像形成装置を使用する料金が安くなり、感光体及び中間転写体の回転数を少なくできるので印刷速度が速くなり、あるい特定色以外の色材が無くなったり、少なくなってその色材の使用を少なくしたい場合でもインデックス印刷を実行することができる。
【００３２】
図１２において、前述した第３の制御フロー又は第４の制御フローに基づいて画像形成装置によりインデックス印刷した結果を示す。
即ち、インデックス印刷すべきファイル１２２のページ１２４ａ〜１２４ｄの一部にカラー画像１２６が含まれている場合、図５（ｃ）に示した枠選択部１１４を選択したときには、カラー画像１２６が白黒画像に変換されていると共に、カラー画像であった画像には指定された色で枠１３４が施されたインデックス画像１３６が印刷される。
【００３３】
したがって、インデックス印刷すべきファイル１２２のページ１２４ａ〜１２４ｄの一部にカラー画像１２６が含まれている場合、フルカラーでインデックス画像を印刷する場合と比較すると、カラー画像形成装置を使用する料金が安くなり、印刷速度が速くなり、あるい特定色以外の色材が無くなったり、少なくなってその色材の使用を少なくしたい場合でもインデックス印刷を実行することができるし、インデックス印刷した場合であったも原画像ではカラーであったことがわかるものである。
【００３４】
図１３において、他の実施形態が示されている。この実施形態においては、インデックス印刷すべきファイル１２２のページ１２４ａ〜１２４ｄの一部にカラー画像１２６が含まれている場合、カラー／白黒情報はそのままでカラーのみ枠１３４を施したインデックス画像１３６が印刷されるものである。インデックス印刷ではページが縮小されるので、カラーの部分が判別しにくくなるが、このように枠１３４を設けることでカラー画像であったことを判別しやくすることができる。
【００３５】
なお、白黒／カラー識別情報としてカラーを用いて枠付け等を行う実施形態を示したが、これに限定されるものではなく、例えば白黒画像を用いて識別するようにしてもよいし、単に「カラー」等の文字をカラー画像であった部分に付すようにしてもよい。
【産業上の利用可能性】
【００３６】
以上述べたように、本発明は、デジタル複写機、ファクシミリ等の画像形成装置において、インデックス画像を印刷する場合に利用することができるものである。
【図面の簡単な説明】
【００３７】
【図１】本発明の第１の課題を説明するための平面図である。
【図２】本発明の第２の課題を説明するための平面図である。
【図３】本発明の実施形態に係る画像形成装置を示す側面図である。
【図４】本発明の実施形態に係る画像形成装置に用いた画像処理装置を示すブロック図である。
【図５】本発明の実施形態に係る画像形成装置又はホストコンピュータのユーザインターフェイスに表示されるインデックス印刷モード画面を示す図である。
【図６】本発明の実施形態の第１の制御フローを示すフローチャートである。
【図７】本発明の実施形態の第２の制御フローを示すフローチャートである。
【図８】本発明の実施形態の第３の制御フローを示すフローチャートである。
【図９】本発明の実施形態の第３の制御フローにおけるステップＳ３０の詳細を示すフローチャートである。
【図１０】本発明の実施形態の第４の制御フローを示すフローチャートである。
【図１１】本発明の実施形態の第１のインデックス印刷結果を示す図である。
【図１２】本発明の実施形態の第２のインデックス印刷結果を示す図である。
【図１３】本発明の他の実施形態のインデックス印刷結果を示す図である。
【符号の説明】
【００３８】
１０  画像形成装置
１２  画像形成部
１４  画像読取装置
１５  画像処理装置
１８  ホストコンピュータ
８４  インデックス印刷モード画面
【図１】
2005225012.tif 000003
【図２】
2005225012.tif 000004
【図３】
2005225012.tif 000005
【図４】
2005225012.tif 000006
【図５】
2005225012.tif 000007
【図６】
2005225012.tif 000008
【図７】
2005225012.tif 000009
【図８】
2005225012.tif 000010
【図９】
2005225012.tif 000011
【図１０】
2005225012.tif 000012
【図１１】
2005225012.tif 000013
【図１２】
2005225012.tif 000014
【図１３】
2005225012.tif 000015